(57)【要約】【課題】  省エネの再熱熱交換器を備えた空調環境を形成する空気調和機に関する。【解決手段】  外気吸入室、プラグファン、冷却コイル、再熱熱交換器、室内給気室の順に配置し、この順に外気を通過させる空気調和機において、前記プラグファンの吹出口の近傍に再熱熱交換器への空気取込口を設け、再熱熱交換器で外気による熱交換した後に、再熱熱交換器からの空気の排気を排気口から前記外気吸入室に戻す再熱熱交換器を備えた空気調和機。【選択図】図２
2020085261.tif 000002
【特許請求の範囲】
【請求項１】
外気吸入室、プラグファン、冷却コイル、再熱熱交換器、室内給気室の順に配置し、この順に外気を通過させる空気調和機において、前記プラグファンの吹出口の近傍に再熱熱交換器への空気取込口を設け、再熱熱交換器で外気による熱交換した後に、再熱熱交換器からの空気の排気を排気口から前記外気吸入室に戻す再熱熱交換器を備えた空気調和機。
【請求項２】
前記外気を再熱熱交換器を通過させた後には、加湿器を設けて加湿調整をして室内給気室に供給することを特徴する請求項１に記載の再熱器を備えた空気調和機。
【発明の詳細な説明】
【技術分野】
【０００１】
本発明は、居室内を適正な温度及び湿度に保つ空調環境を形成する空気調和機であって、省エネの再熱器を備えた空調環境を形成する空気調和機に関する。
【背景技術】
【０００２】
従来、空気調和機で冷房する際に、絶対湿度はそのままであると、相対湿度は上がってしまうので、一旦目標温度より低くして結露させて絶対湿度をさげてから、再熱器で温度を上げて目標温度にし、居室内を適正な温度及び湿度に保つ空調環境を形成することがなされている。
これを図６で説明すると、空調器ａは外気取入口ｂ、フィルターｃ、再熱器e,加湿器ｆ、ファンｇ、給気口ｈの順に配置され、外気ＯＡは冷房コイルｄで冷却し、冷却され過ぎれた空気を再熱器eで設定温暖に戻し給気ＳＡとして居室に供給するす。これを空気線図で示すと図４のようになる。この際、再熱器は外部の温水等の熱源を利用する。
ところで、省エネのため再熱器の熱源に外気を利用することは、特許文献１に開示されている。しかし、引用文献１の図３、図４に図示される外気供給部にはファン等を備えければならない。
【先行技術文献】
【特許文献】
【０００３】
【特許文献１】特開２０１８−８０８８６号公報
【発明の開示】
【発明が解決しようとする課題】
【０００４】
ところで、前掲特許文献１の空気調和機は、再熱器の熱源として外気ＯＡを利用するが、外気ＯＡを供給するために外気供給部としてファン等を備えければならず、特別の送風装置等の外気供給手段が必要である。
【課題を解決するための手段】
【０００５】
上記課題を解決するために、外気吸入室、プラグファン、冷却コイル、再熱熱交換器、室内給気室の順に配置し、この順に外気を通過させる空気調和機において、前記プラグファンの吹出口の近傍に再熱熱交換器への空気取込口を設け、再熱熱交換器で外気による熱交換した後に、再熱熱交換器からの空気の排気を排気口から前記外気吸入室に戻す再熱熱交換器を備えた空気調和機である。
なお、前記コイルは、空気を冷却するコイル(熱交換器)を意味し、空気を冷却する熱交換器であれば冷水コイルでも冷媒コイルでも良く、適宜選択使用すればよい。
請求項２の発明は、請求項１に記載の再熱器を備えた空気調和機において、前記外気を再熱熱交換器を通過させた後には、加湿器を設けて加湿調整をして室内給気室に供給することを特徴する。
【発明の効果】
【０００６】
本発明の再熱器を備えた空気調和機によれば、再熱の熱源を別途用意する必要がなく、外気ＯＡを再熱器の熱源として利用するので省エネ効果が期待できる。  また、再熱熱交換器を通過させた後に加湿器を設けて加湿調整をしているので、室内給気ＳＡを更に適正にすることができる。
【図面の簡単な説明】
【０００７】
【図１】本発明の実施例の再熱器を備えた空気調和機の全体の平面図、
【図２】図１の側面図、
【図３】本発明の再熱熱交換器の斜視図、
【図４】再熱を説明する冷房時の空気線図、
【図５】図５(ａ)は、別の実施例の再熱熱交換器の斜視図、図５(ｂ)は（ａ）のＸ−Ｘ線での断面図、
【図６】従来の再熱器を備えた空気調和機の側面図である。
【発明を実施するための最良の形態】
【０００８】
本発明の再熱器を備えた空気調和機の実施例を、図１〜５を参照して説明する。
［実施例１］
図１は再熱器を備えた空気調和機１の全体の平面図、図２はその側面図であるが、外気ＯＡを取り入れる側を上流として、フィルター２、外気吸入室３、送風のプラグファン４、冷房等の冷却コイル５、再熱熱交換器６、加湿器７、室内給気室８の順に配置されている。
ここで、前記送風のプラグファン４の吹出口４１の近傍である周辺部分４２に再熱熱交換器６にプラグファン４の外気ＯＡの送風の一部を外気取入ダクト９１によって取り込む。このため、外気取入ダクト９１の上流端には外気ＯＡ取込口９１１を設け、図３に示す再熱熱交換器６の外気ＯＡ取込口９１１に外気ＯＡを供給する。再熱熱交換器６で空調空気を再熱処理した排気ＥＡは処理排気ダクト９２を介して、処理排気を外気吸入室３の循環口９２１から外気吸入室３に戻す。
【０００９】
一方、空調空気については、外気吸入室３の外気ＯＡと循環口９２１からの処理排気を混合した空気を送風のプラグファン４によって、本実施例の場合は冷却コイル５で冷却した空気は、再熱熱交換器６で多少加熱して、温度を上げて目標温度及び湿度にし、居室内を適正な温度及び湿度に保つ空調環境にする。なお、必要であれば、加湿器７で湿度を微調整する。
【００１０】
次に、再熱熱交換器６を図３で説明すると、再熱熱交換器６は、外気ＯＡの暖かい空気の「熱」だけを、空調された空気に与えて再熱する静止型の顕熱交換器(再熱熱交換器６）で、外気ＯＡ（実線矢印)が外気ＯＡを取入口６１から暖かい空気を取り入れ、排気ＥＡ(一点鎖線矢印)が排出口６２から排気し貫通する再熱空気取込通過路９３の一面と、空調空気（白抜き矢印）が貫通する空調空気通過路９４の一面とが裏表で共通にし、この共通する一面が銅などの伝導率の高い材料として、熱を移行させる構成となっている。また、外気取入ダクト９１の途中には、外気ＯＡの風量を適正に調整するため風量調整ダンパ９５を設けてある。
【００１１】
以上の空調空気となる状態を図４の空気線図で説明すると、先ず、外気ＯＡ(Ａ点)は冷却コイル５(熱交換器で外気ＯＡを所定温度まで低下させ(Ｂ点)、再熱熱交換器６(Ｃ点で)温度を上げて適正な温度と湿度に空気ＳＡに調整する。
【００１２】
実際に、実験機で給気ＳＡの風量615m3/h、風速1.9m/sとした場合で、実験した結果を示すと以下のようなものであった。
空調された空気の再熱交換器６での温度及び湿度
外気OA温度  冷却コイル通過時温度  湿度     再熱器直後   湿度   
30.8℃．    23.4℃              79.7％    25.8℃      62.8％
（２）再熱熱交換器６での温度、風量
取入口61    排気口62    風量       風速
30.0℃    28.4℃     111m3/h    3.5m/s
なお、再熱熱交換器６の排気口62の温度は、外気OA温度よりもやや低いが、排気口62からの風量が外気吸入室３に比べて極めて少ないので、再熱熱交換器６の排気口62の温度とほぼ同じであった。
以上の実験結果から温かい外気ＯＡでも空調空気を十分に再熱することが判る。
【００１３】
更に、前記再熱熱交換器６の別の実施例（再熱熱交換器６ａ）を図５で説明すると、対向する取入枠体口６３と、排出枠体口６４を設けし、この間に中空の銅管６５を掛け渡し、外気取入ダクト９１を介して取入枠体口６３から暖かい外気ＯＡを供給し、この銅管６５で熱交換を行って、排出枠体口６４から処理排気ダクトを介して、循環口９２１から外気吸入室３に排気する。
この再熱熱交換器６aも、外気ＯＡの暖かい空気の「熱」だけを、空調された空気に与えて静止型の再熱顕熱交換器６aで、外気ＯＡ（実線矢印)が外気ＯＡを取入枠体口６３から暖かい空気を取り入れ、排気ＥＡ(一点鎖線矢印)が排出枠体口６４から排気する。
この再熱熱交換器６aは、前記の再熱熱交換器６と比べると、制作が容易であり、コンパクトである。また、必要に応じて外気取入ダクト９１の途中には、風量を適正に調整するため風量調整ダンパ９５を設けてもよい。
【００１４】
以上のような構成であるので、本発明の各実施例の再熱器を備えた空気調和機によれば、再熱の熱源を別途用意する必要がなく、外気ＯＡを再熱器の熱源として利用するので省エネ効果が期待できる。また、再熱熱交換器６,６aを通過させた後に加湿器を設けて加湿調整をしているので、室内給気ＳＡを更に適正にすることができる。
なお、本発明の特徴を損なうものでなければ、上記の実施例に限定されるものでないことは勿論である。
【符号の説明】
【００１５】
１・・空気調和機、２・・フィルター 、３・・外気吸入室、３１・・吸入口、
４・・プラグファン、４１・・吹出口、４２・・周辺部分、
５・・冷却コイル、
６，６a・・再熱熱交換器、６１・・取入口、６２・・排出口、
６３・・取入枠体口，６４ ・・排出枠体口，６５・・銅管
７・・加湿器、８・・室内給気室、８１・・給気口、
９・・ダクト、９１・・外気取入ダクト、９１１・・外気ＯＡ取込口
９２・・処理排気ダクト、９２１・・循環口、９３・・再熱空気取込通過路
９４・・空調空気通過路、９５・・風量調整ダンパ
【図１】
2020085261.tif 000003
【図２】
2020085261.tif 000004
【図３】
2020085261.tif 000005
【図４】
2020085261.tif 000006
【図５】
2020085261.tif 000007
【図６】
2020085261.tif 000008